(57)【要約】【課題】頭部にセットすることにより簡便に使用でき、新鮮な刺激を与えることができる気体圧マッサージ器を提供する。【解決手段】給気されると膨らむ複数の空気室１１，１２，１３を備えた頭部専用のリング状のカフ（ベルト）１と、ホース３ａ、３ｂ、３ｃを介して接続された前記カフの前記複数の空気室に給排気する駆動装置２とからなり、前記複数の空気室に給排気することによって前記カフの外面を膨張、保持または収縮させ、頭部および頭皮に圧迫刺激を与えるマッサージを行うことを特徴とする。また、前記複数の空気室は、それぞれ前記カフの円周方向で、かつ幅方向に異なった位置にそれぞれ互いに一部分が重なりをもってリング状に設けられ、前記駆動装置は、前記複数の空気室に対し、それぞれ異なった所定の開始時期に、所定のタイミングで給排気を行い、前記空気室を膨張、保持または収縮させることを特徴とする。【選択図】      図１
2004305571.tif 000002
【特許請求の範囲】
【請求項１】
給気されると膨らむ複数の気室を備えたりング状のカフ（ベルト）と、
このカフの前記各気室に給排気する駆動装置とからなり、
該駆動装置によって前記各気室に気体を給排気し、前記カフを膨張、保持、または収縮させ、患部に圧迫刺激を与えるマッサージを行うことを特徴とする気体圧マッサージ器。
【請求項２】
前記各気室は、
それぞれ前記カフの円周方向で、かつ幅方向に異なった位置にそれぞれ互いにリング状に設けられたことを特徴とする請求項１に記載の気体圧マッサージ器。
【請求項３】
前記駆動装置は、
前記各気室に対し、所定の開始時期に所定のタイミングで個々に給排気を行い、前記カフを部分的に膨張、保持、または収縮させることを特徴とする請求項１または２に記載の気体圧マッサージ器。
【請求項４】
前記所定の開始時期、あるいは給排気を行う前記所定のタイミングは、
予め設定された複数のプログラムのうちの一つを選択することによって制御されることを特徴とする請求項３に記載の気体圧マッサージ器。
【請求項５】
前記駆動装置による給排気は、
所定の圧力範囲で、連続または間欠して調節できる圧力調節機能を備え、
過大圧力になったときは、圧力センサによって自動的に開くポップオフバルブを備えて安全性を確保したことを特徴とする請求項３または４に記載の気体圧マッサージ器。
【発明の詳細な説明】
【０００１】
【発明の属する技術分野】
この発明は、患部特に、頭部の発毛および育毛の補助および促進効果が期待できる気体圧マッサージ器に関する。
【０００２】
【従来の技術】
従来より、患部特に、頭部の発毛および育毛の補助および促進効果を得る目的のマッサージ器具として、特許文献１および２のような振動式のマッサージ器が用いられてきた。
特許文献１の電動コードレス頭皮マッサージャーは、バイブレータによってシャンプー用ブラシを振動させる方式である。
特許文献２の頭部マッサージ機は、頭部にキャップ部を被せこのキャップ部を振動させる方式である。
【０００３】
【特許文献１】
特開２００２−３２５８１６号公報（図４、段落００１２、００１３）
【特許文献２】
特開平１０−２１６１８５号公報（図１、図２、段落０００８、０００９）
【０００４】
【発明が解決しようとする課題】
しかしながら、特許文献１のマッサージ器は、器具自体を人手で保持することが必要であるため、長時間の使用には疲労が伴い、また、シャンプー用ブラシから頭皮に加わる振動は、使用者の好みにより、必ずしも快適なものとならないと問題がある。
【０００５】
また特許文献２のマッサージ機は、振動するキャップを保持機構によって支持させるものであるから、人手で保持する必要はないものの、保持機構を含む装置全体の寸法が極めて大きくなるため、個人用、あるいは家庭用の用途に適用し難いという問題がある。
【０００６】
本発明はこのような背景の下になされたもので、頭部等の患部にセットすることにより簡便に使用でき、新鮮な刺激を与えることができる気体圧マッサージ器を提供することを目的とする。
【０００７】
【課題を解決するための手段】
請求項１に記載の発明は、給気されると膨らむ複数の気室を備えたりング状のカフ（ベルト）と、このカフの前記各気室に給排気する駆動装置とからなり、該駆動装置によって前記各気室に気体を給排気し、前記カフを膨張、保持、または収縮させ、患部に圧迫刺激を与えるマッサージを行うことを特徴とする気体圧マッサージ器を提供する。
請求項２に記載の発明は、請求項１に記載の気体圧マッサージ器において、前記各気室は、それぞれ前記カフの円周方向で、かつ幅方向に異なった位置にそれぞれ互いにリング状に設けられたことを特徴とする。
請求項３に記載の発明は、請求項１または２に記載の気体圧マッサージ器において、前記駆動装置は、前記各気室に対し、所定の開始時期に所定のタイミングで個々に給排気を行い、前記カフを部分的に膨張、保持、または収縮させることを特徴とする。
【０００８】
請求項４に記載の発明は、請求項３に記載の気体圧マッサージ器において、前記所定の開始時期、あるいは給排気を行う前記所定のタイミングは、予め設定された複数のプログラムのうちの一つを選択することによって制御されることを特徴とする。
請求項５に記載の発明は、請求項３または４に記載の気体圧マッサージ器において、前記駆動装置による給排気は、所定の圧力範囲で、連続または間欠して調節できる圧力調節機能を備え、過大圧力になったときは、圧力センサによって自動的に開くポップオフバルブを備えて安全性を確保したことを特徴とする。
【０００９】
【発明の実施の形態】
以下、この発明の一実施形態について図を参照しながら説明する。図１はこの発明の一実施形態による気体圧ヘッドマッサージ器の外観構成を示す図であり、図２は駆動装置の構成を示すブロック図である。
【００１０】
図１において、符号１は頭部に装着するカフ（ベルト）であり、このカフの内部に空気室１１、１２および１３を配設し、これらは独立した房を形成している。
符号２はカフ１の空気室１１、１２または１３に空気源からの空気の給排気を行う駆動装置であり、ホース３ａ、３ｂ、３ｃを介してカフ１に接続され、気体圧ヘッドマッサージ器を構成している。
【００１１】
図２は駆動装置２の構成を示し、ホース３のＯＮ／ＯＦＦを行うバルブ２１、コンプレッサおよびタンクからなる空気源２２、バルブ２１および空気源２２を制御してカフ１の空気室１１、１２、１３の加圧圧力を調節する加圧圧力調節手段２３および複数の加減圧プログラムを内蔵し、選択された前記プログラムに従って加圧圧力調節手段２３を制御する制御手段２４から構成される。
また、この制御手段２４には圧力設定スイッチやタイマ機能も内蔵した電子回路を有している。
【００１２】
図３は、リング状の前記カフ１を縦に切断した断面形状を示す図で、空気室１１、１２または１３のいずれにも給気されていない状態を示す。
また、図４は前記カフ１の断面形状を示す図である。中央の空気室１２に給気され、カフ１の中央が膨らんでいる状態を示す。
【００１３】
つぎに、上述の構成による気体圧ヘッドマッサージ器の動作について説明する。
まず、使用者はカフ１を頭部にセットし、駆動装置２の選択スイッチ（不図示）によって制御手段２４に内蔵されたマッサージプログラムのうち、所望のマッサージプログラムを選択する。この時点ではカフ１は図３に示した状態になっており、頭部には圧迫刺激は加わらない。
また、このプログラムは、各空気室に対する所定の圧力までの加圧、この圧力の保持、排気も制御する。
【００１４】
駆動装置２をスタートさせると、選択したマッサージプログラムに従い、制御装置２４に基づいて加圧圧力調節手段２３が各気室に供給するバルブ２１ａ、２１ｂ、２１ｃおよび空気源２２を単独または同時に駆動し、カフ１の空気室１１、１２、１３に単独または同時に給気して各気室を膨張させ、頭部に圧力を加えたり、頭部に加えた圧力を保持したり、排気して圧迫から開放したりして頭部に部分的にリズミカルな圧迫刺激を与える。
また、排気に関しては全空気室を同時に減圧させる方法と、空気室毎に順序を付けて減圧することもできるようになっている。
【００１５】
実際の使用状態では、空気室１１、１２、１３の順序で加圧されるプログラムが一般的で、好ましい効果を得ることができる。
変則的な例として、例えば、空気室１２に給気し、空気室１１および１３に給気しなかったときの状態を図４に示している。
この図のように、カフ１の中心部の内側が膨れた状態になり、頭部のこの部分に接した部位が圧迫されることになる。
通常、つぎのタイミングでは、空気室１２は開放され、空気室１１または１３に給気されて頭部のその部分に接した部位が圧迫されるが、３つの空気室に同時に給気するようにしてもよい。
【００１６】
このように選択されたプログラムに従い、時間差を付けて複数の空気室に給気、保持または排気を行うことにより、頭部および頭皮マッサージが行われ、血行促進の効果を高めることができる。
さらに、加圧圧力調節手段２３は、６０ｍｍＨｇから１４０ｍｍＨｇ間での５段階（初期設定は１００ｍｍＨｇ）の範囲で連続または間欠に調節できる圧力調節機能を持ち、頭部圧迫の過大圧力になったときは、圧力センサによって自動的に開くホップオフバルブを備え、安全性を確保している。
【００１７】
以上、本発明の一実施形態の動作を図面を参照して詳述してきたが、本発明はこの実施形態に限られるものではなく、本発明の要旨を逸脱しない範囲の設計変更等があっても本発明に含まれる。
たとえば、カフの空気室の数は３つに制限されるものではなく、２つであってもよく、また４つ以上であってもよい。
【００１８】
また、空気室の形状は、円周方向に限定されず、「斜め」や「縦に分割」したものであっても良い。
【００１９】
また、リング状のカフに限定されず、帽子状等どのような形状のものであっても良い。
【００２０】
また、実施形態では頭部のマッサージ器について説明したが、頭部に限定されず、どの部位であっても良い。
【００２１】
【発明の効果】
これまでに説明したように、この発明によれば、頭部専用のカフ（ベルト）に複数の空気室を設け、予め用意されたプログラムのうち選択されたプログラムに従って空気室への給気、保持または排気を行うことにより、頭部にマッサージ効果を与えるようにしたので、以下のような発毛・育毛・養毛の補助および促進効果が得られる。
【００２２】
ａ．頭部の圧迫および減圧の繰り返しにより、頭皮がもみほぐされ、血行促進、皮膚の柔軟化が促進される。発育毛を阻害する原因と考えられる頭皮の血流不足、代謝低下を防止し、健康な頭皮の状態に戻すことができる。
【００２３】
ｂ．頭部下方より段階式に頭頂部へ向かって加圧する方式を主体としたプログラムがセットされており、頭部（頭頂部）への血流が促進されやすくなる。
また、所定時間内で圧迫、開放を繰り返すため、短時間（例えば２〜３分）で血流促進がなされる。
【００２４】
ｃ．頭部下方より頭頂部に向かって締め上げた後、全空気室から一斉に、または空気室別に個別に排気されるプログラムにより体感でき、人手を使いマッサージを行っていたことが、器具を用いて簡便に行えるようになった。
【００２５】
ｄ．３つの空気室を独立させて動かしたり、全室一斉加圧と排気等のプログラムが内蔵されており、プログラムの適切によってその日の体調や頭皮の状況に応じたマッサージのプログラムとすることができる。
【図面の簡単な説明】
【図１】本発明の一実施形態による気体圧ヘッドマッサージ器の外観構成を示す図。
【図２】駆動装置の構成を示すブロック図。
【図３】給気されていない状態のカフの断面形状を説明する図。
【図４】第２に空気室に給気された状態のカフの断面形状を説明する図。
【符号の説明】
１…カフ（ベルト）
２…駆動装置
３ａ、３ｂ、３ｃ…ホース
１１、１２、１３…空気室
２１ａ、２１ｂ、２１ｃ…バルブ
２２…空気源
２３…加圧圧力調節手段
２４…制御手段
【図１】
2004305571.tif 000003
【図２】
2004305571.tif 000004
【図３】
2004305571.tif 000005
【図４】
2004305571.tif 000006